(57)【特許請求の範囲】
【請求項１】
スプリンクラーヘッドに対して装着される有底筒状のキャップ本体を有する保護キャップにおいて、
前記キャップ本体は、前記スプリンクラーヘッドに対し所定の正負二方向への移動に伴い固定及び固定解除される固定部と、前記スプリンクラーヘッドからの固定解除の方向と異なる方向に向かって該スプリンクラーヘッドを押圧可能な押圧部とを有し、該押圧部は、該押圧部の押圧方向に沿って前記固定部が前記スプリンクラーヘッドから固定解除される方向に向かう傾斜面状に形成された前記スプリンクラーヘッドの斜面部に対し押圧され、
前記押圧部は、前記スプリンクラーヘッドが設置治具を係止させるために有する治具係止部と周方向において異なる位置に配置され、
前記設置治具は前記スプリンクラーヘッドに対して下側から挿入されるものであって、前記押圧部の上端位置は前記治具係止部の下端位置より下方に位置することを特徴とする保護キャップ。
【請求項２】
前記固定部は、前記スプリンクラーヘッドに対し上下方向に固定及び固定解除され、前記押圧部は、前記スプリンクラーヘッドを外周側から内周側に向かって押圧自在であり、
前記押圧部は、前記固定部を前記スプリンクラーヘッドから固定解除する方向に沿って内周側に向かう傾斜面状に形成された前記斜面部に対して押圧されることを特徴とする請求項１記載の保護キャップ。
【請求項３】
前記押圧部は、前記キャップ本体に片持ち状に形成される弾性変形部の先端部に形成されることを特徴とする請求項２記載の保護キャップ。
【請求項４】
前記弾性変形部の先端部には、内周側を向く面に前記押圧部が形成され、外周側を向く面に凸状または凹状の手掛け部が形成されることを特徴とする請求項３記載の保護キャップ。
【請求項５】
前記押圧部は、前記キャップ本体の中心軸を挟んで対称位置に対をなして配置されることを特徴とする請求項２〜４のいずれか１項に記載の保護キャップ。
【請求項６】
前記固定部は、前記スプリンクラーヘッドに対し上下方向に固定及び固定解除され、前記押圧部は、前記スプリンクラーヘッドを周方向に沿って押圧自在であり、
前記押圧部は、装着状態において前記スプリンクラーヘッドの斜面部と当接し、該斜面部は、前記固定部を前記スプリンクラーヘッドから固定解除する方向及び前記スプリンクラーヘッドの周方向に向かう傾斜面状に形成されていることを特徴とする請求項１記載の保護キャップ。
【請求項７】
請求項１〜６のいずれか１項に記載の保護キャップが装着されたことを特徴とするスプリンクラーヘッド。
【請求項８】
スプリンクラーヘッドに対して装着される有底筒状のキャップ本体を有する保護キャップを装着したスプリンクラーヘッドを、建物に設けられるヘッド取付部に対して取付ける設置治具において、
前記保護キャップの前記キャップ本体は、前記スプリンクラーヘッドに対し所定の正負二方向への移動に伴い固定及び固定解除される固定部と、前記スプリンクラーヘッドからの固定解除の方向と異なる方向に向かって該スプリンクラーヘッドを押圧可能な押圧部とを有し、該押圧部は、該押圧部の押圧方向に沿って前記固定部が前記スプリンクラーヘッドから固定解除される方向に向かう傾斜面状に形成された前記スプリンクラーヘッドの斜面部に対し押圧され、
前記スプリンクラーヘッド及び保護キャップを覆う保持部を有し、該保持部は、前記スプリンクラーヘッドに設けられる治具係止部に係止される係止部を内面に有すると共に、前記係止部が前記治具係止部に係止された状態で、前記保護キャップの押圧部を有する弾性変形部を露出させる開口部を有することを特徴とする設置治具。
【発明の詳細な説明】
【技術分野】
【０００１】
本発明は、火災時に消火用水を放水するスプリンクラーヘッドに装着される保護キャップ及びスプリンクラーヘッドの設置治具に関する。
【背景技術】
【０００２】
スプリンクラーヘッドは、消火装置として建物の天井部分などに設置される。スプリンクラーヘッドは、感熱部で火災によって発生した熱を検出すると、弁を開いて消火用水を放水する。このため、感熱部はスプリンクラーヘッドにおいて重要な部分であり、衝撃等が加わると、漏水や動作不良を生じる可能性がある。このため、スプリンクラーヘッドの施工時において、感熱部に外部からの力が加わらないように、感熱部を含むスプリンクラーヘッドに対して保護キャップが装着される。
【０００３】
スプリンクラーヘッドは、保護キャップが装着された状態で工場から出荷される。これにより、輸送時等における感熱部の破損を防止できる。また、スプリンクラーヘッドを施行する際には、保護キャップを装着したまま、専用の治具によりスプリンクラーヘッドを建物の天井裏の配管に取付ける。この後、すぐにスプリンクラーヘッドから保護キャップを取り外す場合もあるし、天井に対する塗装工事等の他の作業が全て終了した時点で、スプリンクラーヘッドから保護キャップを取り外す場合もある。このようなスプリンクラーヘッドの保護キャップとしては、例えば特許文献１に挙げるようなものがある。
【先行技術文献】
【特許文献】
【０００４】
【特許文献１】特開２００１−１６１９５２号公報
【発明の概要】
【発明が解決しようとする課題】
【０００５】
スプリンクラーヘッドの保護キャップは、スプリンクラーヘッドに対して係合して固定されている。このため、保護キャップをスプリンクラーヘッドから取り外す際には、両者の係合状態を解除する必要がある。保護キャップは、外部からの力を受けた場合に、不意に外れることがないように、ある程度強固にスプリンクラーヘッドに対して固定されている。また、スプリンクラーヘッドは天井裏などの高所に取付けられている。これらにより、保護キャップを取り外す作業には手間がかかっていた。
【０００６】
本発明は前記課題を鑑みてなされたものであり、スプリンクラーヘッドに対する固定強度を確保しつつ取り外しが容易な保護キャップと、この保護キャップの取り外し作業を行うことのできるスプリンクラーの設置治具を提供することを目的とする。
【課題を解決するための手段】
【０００７】
前記課題を解決するため、請求項１の発明に係る保護キャップは、スプリンクラーヘッドに対して装着される有底筒状のキャップ本体を有する保護キャップにおいて、
前記キャップ本体は、前記スプリンクラーヘッドに対し所定の正負二方向への移動に伴い固定及び固定解除される固定部と、前記スプリンクラーヘッドからの固定解除の方向と異なる方向に向かって該スプリンクラーヘッドを押圧可能な押圧部とを有し、該押圧部は、該押圧部の押圧方向に沿って前記固定部が前記スプリンクラーヘッドから固定解除される方向に向かう傾斜面状に形成された前記スプリンクラーヘッドの斜面部に対し押圧され、
前記押圧部は、前記スプリンクラーヘッドが設置治具を係止させるために有する治具係止部と周方向において異なる位置に配置され、
前記設置治具は前記スプリンクラーヘッドに対して下側から挿入されるものであって、前記押圧部の上端位置は前記治具係止部の下端位置より下方に位置することを特徴として構成されている。
【０００８】
請求項１に係る発明によれば、押圧部を斜面部に対して押圧させる操作を行うことで、キャップ本体がスプリンクラーヘッドから固定解除されて、保護キャップを容易に取り外すことができる。
【０００９】
また、請求項２の発明に係る保護キャップは、前記固定部は、前記スプリンクラーヘッドに対し上下方向に固定及び固定解除され、前記押圧部は、前記スプリンクラーヘッドを外周側から内周側に向かって押圧自在であり、
前記押圧部は、前記固定部を前記スプリンクラーヘッドから固定解除する方向に沿って内周側に向かう傾斜面状に形成された前記斜面部に対して押圧されることを特徴として構成されている。
【００１０】
請求項２にかかる発明によれば、押圧部を内外周方向に沿って押圧操作することで、キャップ本体がスプリンクラーヘッドから固定解除されて、保護キャップを容易に取り外すことができる。
【００１１】
また、請求項３の発明に係る保護キャップは、前記押圧部は、前記キャップ本体に片持ち状に形成される弾性変形部の先端部に形成されることを特徴として構成されている。
【００１２】
請求項３に係る発明によれば、簡単な構造で、内周側に向かって押圧自在な押圧部を形成することができる。
【００１３】
さらに、請求項４の発明に係る保護キャップは、前記弾性変形部の先端部には、内周側を向く面に前記押圧部が形成され、外周側を向く面に凸状または凹状の手掛け部が形成されることを特徴として構成されている。
【００１４】
請求項４に係る発明によれば、押圧部を外周側から容易に押圧操作可能とすることができる。
【００１５】
さらにまた、請求項５の発明に係る保護キャップは、前記押圧部は、前記キャップ本体の中心軸を挟んで対称位置に対をなして配置されることを特徴として構成されている。
【００１６】
請求項５に係る発明によれば、保護キャップを挟むように掴むことで、容易に押圧部を内周側に押圧操作することができる。
【００１７】
そして、請求項６の発明に係る保護キャップは、前記固定部は、前記スプリンクラーヘッドに対し上下方向に固定及び固定解除され、前記押圧部は、前記スプリンクラーヘッドを周方向に沿って押圧自在であり、
前記押圧部は、装着状態において前記スプリンクラーヘッドの斜面部と当接し、該斜面部は、前記固定部を前記スプリンクラーヘッドから固定解除する方向及び前記スプリンクラーヘッドの周方向に向かう傾斜面状に形成されていることを特徴として構成されている。
【００１８】
請求項６に係る発明によれば、押圧部を周方向に沿って押圧操作することで、キャップ本体がスプリンクラーヘッドから固定解除されて、保護キャップを容易に取り外すことができる。
【００１９】
また、請求項７の発明に係るスプリンクラーヘッドは、前記いずれかの保護キャップが装着されたことを特徴として構成されている。
【００２０】
請求項７に係る発明によれば、保護キャップを容易に取り外すことができる。
【００２１】
また、請求項８の発明に係る設置治具は、スプリンクラーヘッドに対して装着される有底筒状のキャップ本体を有する保護キャップを装着したスプリンクラーヘッドを、建物に設けられるヘッド取付部に対して取付ける設置治具において、
前記保護キャップの前記キャップ本体は、前記スプリンクラーヘッドに対し所定の正負二方向への移動に伴い固定及び固定解除される固定部と、前記スプリンクラーヘッドからの固定解除の方向と異なる方向に向かって該スプリンクラーヘッドを押圧可能な押圧部とを有し、該押圧部は、該押圧部の押圧方向に沿って前記固定部が前記スプリンクラーヘッドから固定解除される方向に向かう傾斜面状に形成された前記スプリンクラーヘッドの斜面部に対し押圧され、
前記スプリンクラーヘッド及び保護キャップを覆う保持部を有し、該保持部は、前記スプリンクラーヘッドに設けられる治具係止部に係止される係止部を内面に有すると共に、前記係止部が前記治具係止部に係止された状態で、前記保護キャップの押圧部を有する弾性変形部を露出させる開口部を有することを特徴として構成されている。
【００２２】
請求項８に係る発明によれば、スプリンクラーヘッドを取付けた状態のまま、開口部から押圧部を押圧して、保護キャップを取り外すことができる。
【発明の効果】
【００２３】
本発明に係る保護キャップによれば、押圧部を押圧するだけで、スプリンクラーヘッドに対する固定を解除して、容易に取り外しができ、また、押圧部を押圧しなければ、通常通りの固定強度を確保することができる。
【００２４】
本発明に係る設置治具によれば、保持部に保持させたスプリンクラーヘッドを天井に取付けて、そのまま保護キャップを取り外すことができるので、スプリンクラーヘッドの設置作業から保護キャップの取り外しまでを一連に行うことができ、作業を効率化することができる。
【図面の簡単な説明】
【００２５】
【図１】本実施形態における保護キャップと該保護キャップが取付けられるスプリンクラーヘッドの分解図である。
【図２】保護キャップを取付けたスプリンクラーヘッドの側面図である。
【図３】保護キャップの平面図である。
【図４】押圧部を含む保護キャップ及びスプリンクラーヘッドの拡大断面図である。
【図５】押圧部を内周側に押圧した状態における保護キャップ及びスプリンクラーヘッドの拡大断面図である。
【図６】設置治具によってスプリンクラーヘッドを給水管に取付けている状態の正面図である。
【図７】天井板の施工後にスプリンクラーヘッドの位置調整を行っている状態の正面図である。
【図８】第２の実施形態における保護キャップと該保護キャップが取付けられるスプリンクラーヘッドの分解図である。
【図９】第２の実施形態の保護キャップを取付けたスプリンクラーヘッドの側面図である。
【図１０】図９の状態から保護キャップを回転させた状態のスプリンクラーヘッドの側面図である。
【発明を実施するための形態】
【００２６】
本発明の実施形態について、図面に沿って詳細に説明する。図１には、本実施形態における保護キャップ２と該保護キャップ２が取付けられるスプリンクラーヘッド１の分解図を示している。本図において、スプリンクラーヘッド１は正面図であり、保護キャップ２は断面図である。なお、本実施形態において、スプリンクラーヘッド１が天井に取付けられる側を上と、感熱部１３を有する側を下と、それぞれ称する。
【００２７】
スプリンクラーヘッド１は、建物の天井に取付けられ、火災によって生じた熱を感知し、給水管４から供給される消火用水を放水することができる。スプリンクラーヘッド１は、ヘッド本体１０を有して構成されている。ヘッド本体１０は、給水管４に対して螺合固定される給水管固定部１１と、給水管固定部１１の下部に位置し、スプリンクラーヘッド１の取付の際に用いられる設置治具３を係止させるフランジ部１２と、最下部に位置し火災による熱を検出する感熱部１３とを有している。
【００２８】
ヘッド本体１０の給水管固定部１１は、内部に給水管４内と連通する水路を有し、外周にネジ山が形成されている。フランジ部１２には、設置治具３に設けられる係止部を、下側から進入させ、係止させることが可能な切欠溝状の治具係止部１２ａが形成されている。また、ヘッド本体１０の上下方向中間位置には、周方向に沿って形成された溝部１４が配置されている。
【００２９】
ヘッド本体１０の内部には、所定温度を超えると分解して脱落するリンク機構やデフレクタの一部が収容されており、感熱部１３は、感熱板や可溶合金等によって構成されている。このようなスプリンクラーヘッド１に対し、樹脂材によって形成された有底筒状の保護キャップ２が、下方から取付けられる。
【００３０】
保護キャップ２は、略円筒状に形成された周面部２１と、下面を構成する底部２２とを備えたキャップ本体２０によって構成されている。底部２２には、保護キャップ２内に浸入した水を排水するための排水孔２２ａが設けられている。また、底部２２の中央部には突起部２２ｂが形成されている。スプリンクラーヘッド１の設置後、天井板５を施工する際に、天井板５にスプリンクラーヘッド１を挿通させるための貫通孔が形成されるが、突起部２２ｂは、天井板５に対し貫通孔の位置に印を付けるために用いられる。
【００３１】
保護キャップ２の周面部２１は、スプリンクラーヘッド１に対して取付けられた際に、ヘッド本体１０に対して当接する当接部２３を有している。当接部２３がヘッド本体１０の所定位置に当接することで、保護キャップ２がスプリンクラーヘッド１に対し上下方向において正確に位置決めされる。
【００３２】
周面部２１は、ヘッド本体１０の溝部１４に対して係合する突出状の固定部２４を、内面側に有している。保護キャップ２がスプリンクラーヘッド１に対して下方から上方に向かって移動することにより、固定部２４がヘッド本体１０の溝部１４に入り込み、保護キャップ２がヘッド本体１０に対して係合固定される。固定部２４が溝部１４に係合した状態から、保護キャップ２を下方に向かって移動させると、保護キャップ２の固定部２４付近が弾性変形し、固定部２４の溝部１４に対する係合状態が解除される。これにより、保護キャップ２をスプリンクラーヘッド１から取り外すことができる。
【００３３】
周面部２１の上端部には、ヘッド本体１０のフランジ部１２に形成される治具係止部１２ａと周方向において同じ位置に、切欠部２８が形成される。切欠部２８は、後述する設置治具３の係止部３２を、治具係止部１２ａに対して係止させる際に、保護キャップ２がこれと干渉しないようにするために設けられている。
【００３４】
保護キャップ２は、周面部２１に複数の弾性変形部２５を有している。弾性変形部２５は、周面部２１を構成する面が、略Ｕ字状をなすように切り欠かれ、その内側に残った片持ち状の部分として形成されている。弾性変形部２５は、保護キャップ２の外周側から内周側に向かって押圧することで、周面部２１に支持された側から先端側が、内周側に向かって弾性変形することができる。弾性変形部２５の内面側には、先端部に押圧部２６が形成されている。押圧部２６は、弾性変形部２５から突出するように形成されている。押圧部２６の機能については、後で詳述する。
【００３５】
図２には、保護キャップ２を取付けたスプリンクラーヘッド１の側面図を示している。本図において、保護キャップ２は図中右半分を断面図としている。この図では、スプリンクラーヘッド１は、天井板５の開口部分に配置され、天井板５より上方に位置する給水管４に対して取付けられた状態となっている。
【００３６】
保護キャップ２がスプリンクラーヘッド１に取付けられた状態において、保護キャップ２の上端部に形成されている当接部２３は、ヘッド本体１０のフランジ部１２の下面に対して当接している。また、保護キャップ２の固定部２４は、ヘッド本体１０の溝部１４に対して係合している。保護キャップ２に形成された切欠部２８は、ヘッド本体１０のフランジ部１２に形成された治具係止部１２ａと、周方向において一致する位置に配置される。
【００３７】
保護キャップ２の底部２１は、スプリンクラーヘッド１の感熱部１３との間に隙間を有し、周面部２１と共に感熱部１３を覆っており、保護キャップ２に衝撃等の外力が加わっても、感熱部１３に影響がないようにしている。
【００３８】
図３には、保護キャップ２の平面図を示している。この図に示すように、保護キャップ２には、押圧部２６が４箇所に形成されている。このうち２つの押圧部２６は、キャップ本体２０の中心軸を挟んで対称位置に対をなして配置され、他の２つの押圧部２６も、キャップ本体２０の中心軸を挟んで対称位置に対をなして配置されている。このため、保護キャップ２を両側から挟むようにすることで、対になった２つの押圧部２６を、それぞれ外周側から内周側に向かって容易に押圧することができる。
【００３９】
図４には、押圧部２６を含む保護キャップ２及びスプリンクラーヘッド１の拡大断面図を示している。スプリンクラーヘッド１のヘッド本体１０には、周方向に沿って斜面部１５が形成されている。斜面部１５は、上方から下方に向かう方向に沿って、外周側から内周側に向かう傾斜面状となるように形成されている。保護キャップ２は、前述のように、スプリンクラーヘッド１に対し下方に向かって移動させることにより、固定部２４の係合状態が解除されるから、斜面部１５は、固定部２４が係合解除される方向に沿って内周側に向かう傾斜面状に形成されていることになる。
【００４０】
保護キャップ２の押圧部２６は、先端部がヘッド本体１０の斜面部１５に対し当接している。また、弾性変形部２５の外周側面には、凸状に盛り上がった手掛け部２７が形成されている。手掛け部２７は、周面部２１の表面から突出するため、弾性変形部２５の先端部分を内周側に向かって押しやすくすることができる。なお、手掛け部２７は、凸状の形状には限られず、凹状に形成されていてもよい。
【００４１】
図５には、押圧部２６を内周側に押圧した状態における保護キャップ２及びスプリンクラーヘッド１の拡大断面図を示している。本図において、押圧部２６を押圧していない状態を一点鎖線で示している。押圧部２６を内周側に向かって押圧すると、押圧部２６は、当接している斜面部１５に沿って内周側及び下方に移動する。図５において、押圧部２６を内周側に向かって長さＸだけ移動させると、それに伴い下方に向かっても長さＹだけ移動することになる。
【００４２】
押圧部２６は、キャップ本体２０の表面に形成された片持ち状の弾性変形部２５に設けられているので、キャップ本体２０に対し、内外周方向にはある程度移動可能であるが、上下方向には移動できない。このため、押圧部２６の下方向への移動に伴い、キャップ本体２０も下方向に移動する。これによって、固定部２４の溝部１４に対する係合状態が解除される。固定部２４の係合状態が解除されると、保護キャップ２はスプリンクラーヘッド１に対し、固定されていない状態となるので、容易に取り外すことができる。
【００４３】
このように、スプリンクラーヘッド１に対する固定部２４を有する保護キャップ２において、ヘッド本体１０の斜面部１５に当接し内周側に向かって押圧自在な押圧部２６を設けたことにより、押圧部２６を押圧するだけで、保護キャップ２をスプリンクラーヘッド１から容易に取り外すことができる。特に、天井に設置されたスプリンクラーヘッド１は、高所に位置しているから、保護キャップ２の取り外し作業をより簡易に行うことができる。
【００４４】
保護キャップ２には当接部２３が形成され、ヘッド本体１０に対して上下方向に位置決めされているので、押圧部２６はヘッド本体１０の斜面部１５に対し確実に当接され、上記効果を確実に得ることができる。
【００４５】
また、押圧部２６は、キャップ本体２０の中心軸を挟んで対称位置に対をなして配置されているので、キャップ本体２０を挟むように掴むことで、押圧部２６を両側から容易に押圧できる。また、取り外した保護キャップ２をそのまま掴んでスプリンクラーヘッド１から離すことができるので、保護キャップ２の取り外し作業をより円滑にすることができる。本実施形態では、押圧部２６の対を２つ設けてあり、現場の状況に応じて異なる２方向から保護キャップ２を掴んで取り外すことができるようにしている。ただし、押圧部２６の対は２つに限らず、１つあるいは３つ以上であってもよい。また、押圧部２６を対にせず、単独で設けてもよい。
【００４６】
次に、スプリンクラーヘッド１を天井に取付けるための設置治具３について説明する。図６には、設置治具３によってスプリンクラーヘッド１を給水管４に対し取付けている状態の正面図を示している。設置治具３は、保護キャップ２に覆われたスプリンクラーヘッド１を、保護キャップ２の外側からさらに覆って保持する保持部３０と、手で持って保持部３０を回転させる把手部３１とを有している。
【００４７】
保持部３０は、スプリンクラーヘッド１を覆うことができるように略円筒状に形成されており、上端部には、周面の一部が内周側に凸状となるように形成された係止部３２を有している。保持部３０の内面に形成された係止部３２は、ヘッド本体１０のフランジ部１２に形成された治具係止部１２ａと周方向位置を合わせた上で、保持部３０内にスプリンクラーヘッド１を挿入することで、係止させることができる。
【００４８】
図６において、係止部３２は治具係止部１２ａに対し係止された状態となっている。この状態で、把手部３１によって保持部３０を回転させることにより、スプリンクラーヘッド１が共に回転し、天井面に設けられた給水管４に対し、スプリンクラーヘッド１の給水管固定部１１を螺合させることができる。
【００４９】
係止部３２は、内周側に向かって突出しているため、周方向において押圧部２６を有する弾性変形部２５と同じ位置にある状態で、スプリンクラーヘッド１が保持部３０に挿入されると、弾性変形部２５を内周側に押圧してしまい、保護キャップ２が外れてしまう可能性がある。保護キャップ２において弾性変形部２５は、ヘッド本体１０の治具係止部１２ａとは周方向において異なる位置に形成されているので、保持部３０の係止部３２とヘッド本体１０の治具係止部１２ａの周方向位置を合わせた上で、保持部３０に対しスプリンクラーヘッド１を挿入することで、係止部３２によって弾性変形部２５を押圧しないようにすることができる。
【００５０】
保持部３０には、係止部３２が治具係止部１２ａに対して係止した状態において、保護キャップ２の弾性変形部２５を露出させる開口部３３が形成されている。設置治具３によりスプリンクラーヘッド１を給水管４に対して固定した状態で、開口部３３から弾性変形部２５の手掛け部２７を押圧することで、スプリンクラーヘッド１及び保護キャップ２が保持部３０内にある状態のまま、保護キャップ２をスプリンクラーヘッド１から容易に取り外すことができる。
【００５１】
設置治具３によるスプリンクラーヘッド１の取付手順としては、まず、保護キャップ２が取付けられているスプリンクラーヘッド１を、設置治具３の保持部３０の中に挿入する。この際、前述のように、スプリンクラーヘッド１の治具係止部１２ａの周方向位置を、保持部３０の係止部３２の周方向位置と一致させた上で、挿入する。次に、保持部３０を給水管４に近づけ、ヘッド本体１０の給水管固定部１１を給水管４に接触させた上で、把手部３１によって保持部３０を回転させ、給水管固定部１１を給水管４に螺合させる。
【００５２】
スプリンクラーヘッド１を給水管４に固定したら、設置治具３はそのままの位置で、開口部３３から露出する弾性変形部２５の手掛け部２７を押し、押圧部２６を内周側に押し込むようにする。押圧部２６はヘッド本体１０の斜面部１５に押圧され、上述のように保護キャップ２のヘッド本体１０に対する係合状態が解除される。すなわち、保護キャップ２の固定状態が解除される。固定状態が解除された保護キャップ２は、保持部３０内に保持される。
【００５３】
保護キャップ２を取り外したら、そのまま保持部３０を下ろしてスプリンクラーヘッド１から離すことにより、保護キャップ２が保持部３０に保持されたまま、設置治具３をスプリンクラーヘッド１から取り外すことができる。このように、保持部３０が弾性変形部２５を露出させる開口部３３を有していることにより、スプリンクラーヘッド１の取付作業において、保護キャップ２の取り外しまでを一連の動作で行うことができ、スプリンクラーヘッド１の取付作業を効率化することができる。
【００５４】
また、保護キャップ２の取り外しに、保持部３０に形成された係止部３２を用いてもよい。この場合、スプリンクラーヘッド１を給水管４に対して固定するまでは、上述の取付手順と同様である。その後、保持部３０を下げて、係止部３２の治具係止部１２ａに対する係止状態を解除し、その位置で保持部３０を回転させて、係止部３２の周方向位置を保護キャップ２の弾性変形部２５の周方向位置と一致させる。その上で、保持部３０をさらに下げることにより、内周側に突出した係止部３２が、弾性変形部２５を内周側に向かって押圧し、押圧部２６が斜面部１５に対して押圧されることにより、保護キャップ２がスプリンクラーヘッド１から外れ、そのまま保持部３０に保持された状態で保護キャップ２を取り外すことができる。このように、係止部３２を用いて保護キャップ２を取り外すことにより、高所に取付けられているスプリンクラーヘッド１に手を伸ばすことなく、保護キャップ２を取り外すことができるので、作業を効率化することができる。
【００５５】
上述の実施形態では、スプリンクラーヘッド１を給水管４に取付けて、その後、設置治具３でスプリンクラーヘッド１を保持した状態のまま、開口部３３を介して弾性変形部２５を押圧し、保護キャップ２を取り外すようにしているが、スプリンクラーヘッド１を給水管４に取付けた後、一旦、設置治具３をスプリンクラーヘッド１から取り外し、天井の塗装工事等を行った後に、再度設置治具３をスプリンクラーヘッド１に取付け、保護キャップ２を取り外すようにしてもよい。
【００５６】
図７には、天井板５の施工後にスプリンクラーヘッド１の位置調整を行っている状態の正面図を示している。本図において、保護キャップ２に形成される弾性変形部２５の位置が、図６等の形態とは異なっている。図７においては、スプリンクラーヘッド１が所定位置に配置されたときに、弾性変形部２５が天井板５の上下方向位置と一致するように、弾性変形部２５が配置されている。より詳細には、弾性変形部２５の上端位置が天井板５の上面位置と一致し、弾性変形部２５の下端位置が天井板５の下面位置と一致するように、弾性変形部２５が形成されている。
【００５７】
この場合、まず、給水管４に対しスプリンクラーヘッド１を設置治具３によって取付ける。このとき、スプリンクラーヘッド１の上下方向の位置調整はまだ行われない。次に、天井板５をスプリンクラーヘッド１の保護キャップ２に対し押付けて、天井板５の貫通孔を形成する位置に印を付ける。天井板５に貫通孔を形成したら、スプリンクラーヘッド１を貫通させるように天井板５を施工する。その後に再度、設置治具３によってスプリンクラーヘッド１の位置調整を行う。このとき、保護キャップ２の弾性変形部２５と天井板５とが、高さ方向において一致するようにすることで、スプリンクラーヘッド１を適切な位置に調整することができる。スプリンクラーヘッド１の位置調整を行ったら、設置治具３を取り外すと共に、弾性変形部２５の押圧部２６を押圧し、保護キャップ２をスプリンクラーヘッド１から取り外す。
【００５８】
このように、保護キャップ２の弾性変形部２５を、スプリンクラーヘッド１が所定位置に設置された際に、天井板５と同じ高さ位置となるように配置することで、スプリンクラーヘッド１の位置調整を容易にすることができる。
【００５９】
次に、第２の実施形態の保護キャップ２について説明する。図８には、本実施形態における保護キャップ２と該保護キャップ２が取付けられるスプリンクラーヘッド１の分解図を示している。本形態において、スプリンクラーヘッド１には、ヘッド本体１０の上部に、略台形状の突部１６が形成されている。突部１６は、ヘッド本体１０の表面から、外周側に向かって突出しており、周方向に向かって面する傾斜面１６ａを有している。傾斜面１６ａは、ヘッド本体１０の周方向と、保護キャップ２を固定解除する方向、すなわち下方向とに面する傾斜面状となっている。
【００６０】
保護キャップ２は、上端部に切欠状の凹部２９を有している。凹部２９は、スプリンクラーヘッド１の突部１６を納める略台形状を有している。その側部は、突部１６の傾斜面１６ａを周方向に押圧可能な傾斜面状の押圧部２９ａとなっている。
【００６１】
図９には、第２の実施形態の保護キャップ２を取付けたスプリンクラーヘッド１の側面図を示している。保護キャップ２がスプリンクラーヘッド１に取付けられた状態において、保護キャップ２の凹部２９は、スプリンクラーヘッド１の突部１６を納め、押圧部２９ａは傾斜面１６ａに当接している。また、保護キャップ２の固定部２４は、スプリンクラーヘッド１の溝部１４に係合固定されている。
【００６２】
図１０には、図９の状態から保護キャップ２を回転させた状態のスプリンクラーヘッド１の側面図を示している。この図に示すように、保護キャップ２を周方向に回転させると、押圧部２９ａは傾斜面１６ａを周方向に押圧する。傾斜面１６ａは、下方及び周方向に傾斜しているので、押圧部２９ａを有する保護キャップ２は、周方向への移動に伴い、下方にも移動する。これにより、固定部２４の溝部１４に対する係合状態が解除され、保護キャップ２を下方に向かって取り外すことができる。
【００６３】
このように、押圧部２９ａが周方向に沿ってスプリンクラーヘッド１を押圧するように構成することもでき、これにより保護キャップ２を回転させるだけで、保護キャップ２のスプリンクラーヘッド１に対する固定状態を解除しつつ取り外すことができるので、保護キャップ２の取り外し作業を容易にすることができる。
【００６４】
以上、本発明の実施形態について説明したが、本発明の適用は上述の実施形態には限られず、その技術的思想の範囲内において様々に適用されうる。例えば、保護キャップ２において、押圧部２６の位置は、ヘッド本体１０が有する斜面部１５の位置に応じて配置することができる。また、保護キャップ２の固定部２４の位置についても、ヘッド本体１０に対して係合できれば、他の位置にあってもよく、例えば、フランジ部１２またはフランジ部１２の治具係止部１２ａに対して係合するようにしてもよい。
【符号の説明】
【００６５】
１    スプリンクラーヘッド
２    保護キャップ
３    設置治具
４    給水管
５    天井板
１０    ヘッド本体
１１    固定部
１２    フランジ部
１２ａ  治具係止部
１３    感熱部
１４    溝部
１５    斜面部
２０    キャップ本体
２１    周面部
２２    底部
２２ａ  排水孔
２２ｂ  突起部
２３    当接部
２４    固定部
２５    弾性変形部
２６    押圧部
２７    手掛け部
２８    切欠部
３０    保持部
３１    把手部
３２    係止部
３３    開口部
【図１】
0006599189.tif 000002
【図２】
0006599189.tif 000003
【図３】
0006599189.tif 000004
【図４】
0006599189.tif 000005
【図５】
0006599189.tif 000006
【図６】
0006599189.tif 000007
【図７】
0006599189.tif 000008
【図８】
0006599189.tif 000009
【図９】
0006599189.tif 000010
【図１０】
0006599189.tif 000011